(57)【要約】【課題】  オレフィン系樹脂シートを提供する。【解決手段】エチレン系共重合体からなる中間層及びその両面に形成されたポリプロピレン系樹脂からなる外層から構成されるオレフィン系樹脂シートであって、前記外層にはアイオノマー樹脂を１ないし１５質量％含むものであるオレフィン系樹脂シート。【選択図】なし【特許請求の範囲】
【請求項１】
エチレン系共重合体からなる中間層及びその両面に形成されたポリプロピレン系樹脂からなる外層から構成されるオレフィン系樹脂シートであって、
前記外層は、アイオノマー樹脂を１ないし１５質量％含むものである
オレフィン系樹脂シート。
【請求項２】
前記アイオノマー樹脂の金属イオンがカリウムイオンであることを特徴とする請求項１記載のオレフィン系樹脂シート。
【請求項３】
前記ポリプロピレン系樹脂は、メタロセン触媒により重合されたランダムポリプロピレンであることを特徴とする請求項１または２記載のオレフィン系樹脂シート。
【請求項４】
前記メタロセン触媒により重合されたランダムポリプロピレンの２３０℃×２．１６ｋｇｆでのメルトフローレートが３ｇ／１０ｍｉｎ以上である請求項３記載のオレフィン系樹脂シート。
【発明の詳細な説明】
【技術分野】
【０００１】
本発明は、名札ケースやクリアファイルなどの用途に適するオレフィン系樹脂シートに関するものであり、詳細には、透明性及び高周波ウェルダー溶着性に優れるオレフィン系樹脂シートに関する。
【背景技術】
【０００２】
原反フィルムを名札ケースやクリアファイルに加工する際には、原反フィルムを特定形状に裁断又は型抜き、重ね合わせ端部を接着剤で貼り合わせたり、ヒートシールや高周波ウェルダー加工などで溶着（融着）する工程等がある。
接着剤で貼り合わせる場合には、接着箇所の透明性が損なわれたり、接着箇所が固くなるといった不具合があり、また、ヒートシールでは、被加熱物の熱伝導に依存するため、内部まで加熱する場合は長時間を要し、それにより、溶着しない箇所にまで熱の影響がおよぶといった不具合がある。
一方、高周波ウェルダー加工は、被加熱物の溶着箇所のみを内部加熱させるものであるため、短時間でかつ溶着しない箇所に熱の影響を与えることなく溶着することができ、また、被加熱物の内部から均一に加熱することで溶着強度に優れ、しかもわずか数秒の印加時間で品質の安定した溶着加工を行うことができ、加えて、加工中や加工後に環境負荷物質が発生しない、非常にクリーンな加工法であるため、名札ケースやクリアファイルの加工方法として優れたものといえる。
しかし、高周波ウェルダー加工は、塩化ビニル樹脂、エチレン−メタクリレート共重合体及びエチレン−酢酸ビニル共重合体等の極性のある樹脂であれば、溶着できるものの、耐傷性に優れるポリエチレンやポリプロピレン等の極性のない樹脂を溶着することはできない。
そのため、名札ケースやクリアファイルに用いるオレフィン系樹脂シートとして、高周波ウェルダー適性に優れる極性を有する樹脂を中間層とし、該層の両面に耐傷性に優れる樹脂（例えば、ポリプロピレン系樹脂等）の層を設けることにより製造される、高周波ウェルダー適性に優れ且つ耐傷性を備える３層のオレフィン系樹脂シートが提案されている（例えば、特許文献１，２参照）。
【先行技術文献】
【特許文献】
【０００３】
【特許文献１】特開平１１−１９８３０８号公報
【特許文献２】特開２００５−０３５２１３号公報
【発明の概要】
【発明が解決しようとする課題】
【０００４】
特許文献１は、オレフィン系樹脂からなる中間層及びその両面に形成された、アイオノマー樹脂を主体とするオレフィン系樹脂からなる外層とから構成されるオレフィン系樹脂製多層フィルム又はシートを開示する。
該オレフィン系樹脂製多層フィルム又はシートは、高周波ウェルダー適性及び耐傷性等を備えるものであるが、得られたフィルム又はシートは、タック性があり、また、成形性が悪く、成形機に焼きつくという問題があることが判り、加えて、その透明性は必ずしも十分といえるものではなかった。
特許文献２は、エチレン−酢酸ビニル共重合体及びエチレン−アルキル（メタ）アクリレート共重合体から選ばれたエチレン系共重合体を中心層とし、その両面に融点１１５〜１３０℃のシングルサイト触媒により重合されたプロピレン−エチレンランダム共重合体を積層した積層フィルムを開示する。
該積層フィルムは、高周波ウェルダー加工が可能で、耐傷性に優れるものであるものの、高周波ウェルダー加工性においては必ずしも十分といえるものではなく、例えば、電磁波の出力を上げないと溶着できなかったり、溶着に時間を要する（時間を要すと、場合によってはシートが焦げる可能性がある）等の課題があることが判り、また、その透明性も必ずしも十分といえるものではなかった。
【０００５】
従って、本発明は、上記の問題点を解消する、即ち、透明性及び高周波ウェルダー溶着性に優れるオレフィン系樹脂シートの提供を課題とする。
【課題を解決するための手段】
【０００６】
本発明者等は、上記課題を解決するために鋭意検討した結果、エチレン系共重合体からなる中間層及びその両面に形成されたポリプロピレン系樹脂からなる外層から構成される３層のオレフィン系樹脂シートにおいて、外層に、アイオノマー樹脂を１ないし１５質量％含有させると、透明性及び高周波ウェルダー溶着性に優れるオレフィン系樹脂シートとなることを見出し、本発明を完成させた。
【０００７】
即ち、本発明は、
（１）エチレン系共重合体からなる中間層及びその両面に形成されたポリプロピレン系樹脂からなる外層から構成されるオレフィン系樹脂シートであって、
前記外層にはアイオノマー樹脂を１ないし１５質量％含むものである
オレフィン系樹脂シート、
（２）前記アイオノマー樹脂の金属イオンがカリウムイオンであることを特徴とする（１）記載のオレフィン系樹脂シート、
（３）前記ポリプロピレン系樹脂は、メタロセン触媒により重合されたランダムポリプロピレンであることを特徴とする（１）または（２）記載のオレフィン系樹脂シート、
（４）前記メタロセン触媒により重合されたランダムポリプロピレンの２３０℃×２．１６ｋｇｆでのメルトフローレートが３ｇ／１０ｍｉｎ以上である（３）記載のオレフィン系樹脂シート
に関する。
【発明の効果】
【０００８】
本発明により、透明性及び高周波ウェルダー溶着性に優れるオレフィン系樹脂シートが提供される。
また、本発明のオレフィン系樹脂シートは、低温での強度に優れ、そのため、冬場割れを起こし難く、また、高温での寸法安定性に優れ、そのため、高温加工での使用に有利である。
【発明を実施するための形態】
【０００９】
更に詳細に本発明を説明する。
本発明のオレフィン系樹脂シートは、エチレン系共重合体からなる中間層及びその両面に形成されたポリプロピレン系樹脂からなる外層から構成され、
前記外層にはアイオノマー樹脂を１ないし１５質量％含むものである。
【００１０】
本発明のオレフィン系樹脂シートの外層は、ポリプロピレン系樹脂およびアイオノマー樹脂からなる。
外層にアイオノマー樹脂を添加することにより、アイオノマー樹脂を含有していないシートに比べて、低出力かつ短時間で高周波ウェルダー溶着が可能となる。
外層に含まれるアイオノマー樹脂の含量は、１質量％以上で効果が得られるものであり、その具体的な範囲は、１ないし１５質量％であり、３ないし５質量％の範囲が好ましい。１５質量％を超えると、透明性が損なわれる傾向にある。
また、アイオノマー樹脂は、エチレン系の２元共重合体または３元共重合体が金属イオンで架橋することにより調製されるものであるが、本発明においては、カリウムイオンによって架橋されたものが好ましく用いられる。カリウムイオンで架橋されたアイオノマー樹脂は、他の金属イオン（例えば、亜鉛イオン、ナトリウムイオン、リチウム、マグネシウム等）で架橋された場合と比較して、得られるアイオノマー樹脂の誘電率が高いため、高周波ウェルダー性が高いものとなる。
【００１１】
アイオノマー樹脂は、エチレン系の２元共重合体または３元共重合体からなる。
２元共重合体としては、エチレン及び（メタ）アクリル酸又は（メタ）アクリル酸アクリルエステルを重合体を構成するモノマー成分とする重合体が挙げられ、３元共重合体としては、エチレン、（メタ）アクリル酸又は（メタ）アクリル酸アクリルエステル及び（メチル）アクリル酸又は（メチル）アクリル酸アクリルエステルを重合体を構成するモノマー成分とする重合体が挙げられる。
【００１２】
上記アイオノマー樹脂の酸含有量は５質量％以上３０質量％以下であることが好ましく、さらに好ましくは５質量％以上１５質量％以下である。
【００１３】
本発明のオレフィン系樹脂シートの外層は、ポリプロピレン系樹脂およびアイオノマー樹脂からなる。
ポリプロピレン系樹脂としては、種々のものが使用可能であるが、メタロセン触媒により重合されたランダムポリプロピレンが好ましく用いられる。
メタロセン触媒により重合されたランダムポリプロピレンは、他の触媒により重合されたランダムポリプロピレンやホモポリプリピレンと比較して透明性が高く、そのため、透明性に優れるオレフィン系樹脂シートを製造するのに有利である。
また、メタロセン触媒により重合されたランダムポリプロピレンは、その２３０℃×２．１６ｋｇｆでのメルトフローレートが３ｇ／１０ｍｉｎ以上であるものが好ましい。メルトフローレートが３ｇ／１０ｍｉｎ以上であると、アイオノマー樹脂を添加した場合において、メタロセン触媒により重合されたランダムポリプロピレンが本来有する透明性が低下する不具合がない。
【００１４】
上記のポリプロピレン系樹脂には、必要に応じて、帯電防止剤、酸化防止剤、ヒンダードアミン系化合物等の光安定剤、滑剤、紫外線吸収剤、無機充填剤、顔料等の着色剤、等の各種添加剤を添加してもよい。
【００１５】
本発明のオレフィン系樹脂シートの外層は、得られるオレフィン系樹脂シートの特性を損なわない範囲であれば、上記のポリプロピレン系樹脂やアイオノマー樹脂以外の重合体、具体的には、低密度ポリエチレン、線状低密度ポリエチレン、中密度ポリエチレン、高密度ポリエチレン等のポリエチレン；アイソタクチック又はシンジオタクチックのポリプロピレン（プロピレンとエチレンのランダム、ブロック共重合体、即ちランダムポリプロピレン、ブロックポリプロピレン等も含む）；ポリブテン；オレフィン系ゴム；エチレン系エラストマー；等を混合しても差し支えない。
【００１６】
本発明のオレフィン系樹脂シートの中間層は、エチレン系共重合体からなる。
エチレン系共重合体としては、高周波ウェルダー溶着性を有するエチレン系共重合体であれば特に限定されないが、例えば、エチレン−酢酸ビニル共重合体、エチレン−メタクリル酸メチル共重合体等が挙げられる。
好ましいエチレン系共重合体としては、柔軟で極性が高いエチレン−酢酸ビニル共重合体が挙げられる。
エチレン−酢酸ビニル共重合体としては、酢酸ビニルの含量が１０質量％以上のものが好ましく、また、１０ないし３５質量％の範囲のものが好ましい。
【００１７】
中間層を構成するエチレン系共重合体はまた、アイオノマー樹脂を含み得る。
アイオノマー樹脂としては、上記外層で使用されるものと同様であり、２元共重合体としては、エチレン及び（メタ）アクリル酸又は（メタ）アクリル酸アクリルエステルを重合体を構成するモノマー成分とする重合体が挙げられ、３元共重合体としては、エチレン、（メタ）アクリル酸又は（メタ）アクリル酸アクリルエステル及び（メチル）アクリル酸又は（メチル）アクリル酸アクリルエステルを重合体を構成するモノマー成分とする重合体が挙げられる。
金属イオンとしては、カリウムイオン、亜鉛イオン、ナトリウムイオン、リチウムイオン、マグネシウムイオン等が挙げられるが、カリウムイオンが好ましい。
アイオノマー樹脂の含有量は、１ないし１５質量％の範囲であり、好ましくは、３ないし５質量％の範囲である。
アイオノマー樹脂はエチレン−酢酸ビニル共重合体と相性がよいため、中間層としてエチレン−酢酸ビニル共重合体を用いる場合には、アイオノマー樹脂を添加することが好ましい。
【００１８】
上記のエチレン系共重合体には、必要に応じて、帯電防止剤、酸化防止剤、ヒンダードアミン系化合物等の光安定剤、滑剤、紫外線吸収剤、無機充填剤、顔料等の着色剤、等の各種添加剤を添加してもよい。
【００１９】
本発明のオレフィン系樹脂シートの中間層は、得られるオレフィン系樹脂シートの特性を損なわない範囲であれば、上記のエチレン系共重合体以外の重合体、具体的には、低密度ポリエチレン、線状低密度ポリエチレン、中密度ポリエチレン、高密度ポリエチレン等のポリエチレン；アイソタクチック又はシンジオタクチックのポリプロピレン（プロピレンとエチレンのランダム、ブロック共重合体、即ちランダムポリプロピレン、ブロックポリプロピレン等も含む）；ポリブテン；オレフィン系ゴム；エチレン系エラストマー；等を混合しても差し支えない。
【００２０】
本発明のオレフィン系樹脂シートは、中間層の両面に外層を形成してなるが、その形成手段として好ましくは、製造工程が簡略である共押出法や共押出インフレーション法である。勿論、中間層と外層とを、カレンダー法、押出法、インフレーション法等の手段によって別々に成形し、それらを熱ラミネートもしくは適宜の接着剤による接着等の手段で積層する等によっても本発明のオレフィン系樹脂シートを得ることができる。尚、本発明のオレフィン系樹脂シートは、中間層と外層との間に接着剤を介在させずとも、層間接着性に優れるという利点もある。
【００２１】
本発明のオレフィン系樹脂シートの厚さについては、特に限定されるものではないが、上記用途として一般的には、０．０３〜２．０ｍｍである。
【００２２】
本発明のオレフィン系樹脂シートにおける、中間層と外層の厚さの比率は、外層：中間層：外層において、１：２：１ないし１：２０：１の範囲となり、好ましくは、１：４：１ないし１：１６：１の範囲である。
中間層と外層との厚さの比が、上記範囲を著しく逸脱した場合、本発明の課題を解決し得るオレフィン系樹脂シートを得ることができない。尚、両外層の厚さは、必ずしも同じであることを要しない。
得られるオレフィン系樹脂シートの透明性は、１０以下のヘイズ値とするのが好ましい。
【００２３】
上記の方法により得られる本発明のオレフィン系樹脂シートは、透明性及び高周波ウェルダー溶着性に優れるものであるため、二次加工を要する用途での使用に好適である。
【実施例】
【００２４】
次に、本発明を実施例により更に詳細に説明するが、本発明は実施例に限定されるものではない。
＜オレフィン系樹脂シートの製造＞
実施例１
中間層にエチレン−酢酸ビニル共重合体（三井デュポンポリケミカル社製、エバフレックスＰ１４０３）を用い、両外層には、酸含有量１２質量％のエチレン−メタクリル酸共重合体をカリウムイオンで架橋した、ＭＦＲが５．０ｇ／１０ｍｉｎ（２３０℃×２．１６ｋｇｆ）のアイオノマー樹脂１を３質量％含む、メタロセン触媒により重合されたＭＦＲが７．０ｇ／１０ｍｉｎ（２３０℃×２．１６ｋｇｆ）のランダムポリプロピレン１を用い、メインスクリュー径４０ｍｍ、サブスクリュー径２５ｍｍの三層Ｔダイテスト押出機で、層の厚さの比率が、外層：中間層：外層＝１：１２：１となるように共押出し成形して、厚さ０．３ｍｍの三層のオレフィン系樹脂シートを製造した。
【００２５】
実施例２
アイオノマー樹脂１の含有量を５質量％とした以外は、実施例１と同様の操作を行なって、オレフィン系樹脂シートを製造した。
【００２６】
実施例３
アイオノマー樹脂１の含有量を１質量％とした以外は、実施例１と同様の操作を行なって、オレフィン系樹脂シートを製造した。
【００２７】
実施例４
アイオノマー樹脂１の含有量を１５質量％とした以外は、実施例１と同様の操作を行なって、オレフィン系樹脂シートを製造した。
【００２８】
実施例５
実施例１で用いたアイオノマー樹脂１を、酸含有量１２質量％のエチレン−メタクリル酸−アクリル酸エステル共重合体を亜鉛イオンで架橋した、ＭＦＲが１．０ｇ／１０ｍｉｎ（２３０℃×２．１６ｋｇｆ）のアイオノマー樹脂２に変更した以外は、実施例１と同様の操作を行なって、オレフィン系樹脂シートを製造した。
【００２９】
実施例６
実施例１で用いたアイオノマー樹脂１を、酸含有量７質量％のエチレン−メタクリル酸共重合体をナトリウムイオンで架橋した、ＭＦＲが０．９ｇ／１０ｍｉｎ（２３０℃×２．１６ｋｇｆ）のアイオノマー樹脂３に変更した以外は、実施例１と同様の操作を行なって、オレフィン系樹脂シートを製造した。
【００３０】
実施例７
エチレン−酢酸ビニル共重合体を、エチレン−メタクリル酸メチル共重合体（住友化学社製  アクリフトＷＨ２０６）に変更した以外は、実施例１と同様の操作を行なって、オレフィン系樹脂シートを製造した。
【００３１】
実施例８
実施例１で用いたランダムポリプロピレン１を、亜鉛系触媒で重合されたＭＦＲが７．０ｇ／１０ｍｉｎ（２３０℃×２．１６ｋｇｆ）のランダムポリプロピレン２に変更した以外は、実施例１と同様の操作を行なって、オレフィン系樹脂シートを製造した。
【００３２】
実施例９
実施例１で用いたランダムポリプロピレン１を、メタロセン触媒で重合されたＭＦＲが２．０ｇ／１０ｍｉｎ（２３０℃×２．１６ｋｇｆ）のランダムポリプロピレン３に変更した以外は、実施例１と同様の操作を行なって、オレフィン系樹脂シートを製造した。
【００３３】
実施例１０
実施例１で用いたランダムポリプロピレン１を、メタロセン触媒で重合されたＭＦＲが７．０ｇ／１０ｍｉｎ（２３０℃×２．１６ｋｇｆ）のホモポリプロピレン１に変更した以外は、実施例１と同様の操作を行なって、オレフィン系樹脂シートを製造した。
【００３４】
比較例１
アイオノマー樹脂１を用いなかった以外は、実施例１を同様の操作を行なって、オレフィン系樹脂シートを製造した。
【００３５】
比較例２
アイオノマー樹脂１の含有量を２０質量％とした以外は、実施例１と同様の操作を行なって、オレフィン系樹脂シートを製造した。
【００３６】
試験例１
実施例１〜１０及び比較例１〜２で製造したオレフィン系樹脂シートの透明性及び高周波ウェルダー溶着性を評価して表１に示した。
尚、評価方法及び評価基準は以下に示した通りである。
【００３７】
評価方法・評価基準
＜透明性＞
・ヘイズ値１０未満                ◎
・ヘイズ値１０以上１２未満        ○
・ヘイズ値１２以上                ×
＜高周波ウェルダー溶着性＞
高周波ウェルダー溶着における同調率及び溶着時間を測定（条件：４ｋＷ高周波ウェルダー機、５×２５０ｍｍ真鍮性フラットバー、絶縁シート  ニカプライ使用）
・同調率７０、発信時間２秒で溶着    ◎
・同調率７０、発信時間４秒で溶着    ○
・同調率８０、発信時間４秒で溶着    △
・溶着しない                        ×
【表１】
2015024543.tif 000002